(57)【要約】【課題】「Ｃｏｎｔｅｎｔｉｏｎ  Ｂａｓｅｄ  Ｇｒａｎｔ」を用いた衝突型上り送信制御方法において、上りデータ信号の衝突確率を減らす。【解決手段】本発明に係る移動通信システムは、無線基地局ｅＮＢが、移動局ＵＥに対して、所定範囲を通知する工程Ａと、移動局ＵＥが、通知された所定範囲内で、ＣＢ-ＲＮＴＩ（特定の移動局の識別情報ではない所定識別情報）を含む上りリンクスケジューリンググラント（上りスケジューリング）を受信する工程Ｂと、移動局ＵＥが、無線基地局ｅＮＢに対して、かかる上りリンクスケジューリンググラントによって指定されている共有上りリソースを用いて、上りデータ信号を送信する工程Ｃとを有する。【選択図】図５
2011041163.tif 000002
【特許請求の範囲】
【請求項１】
無線基地局が、移動局に対して、所定範囲を通知する工程Ａと、
前記移動局が、通知された前記所定範囲内で、特定の移動局の識別情報ではない所定識別情報を含む上りスケジューリング信号を受信する工程Ｂと、
前記移動局が、前記無線基地局に対して、前記上りスケジューリング信号によって指定されている共有上りリソースを用いて、上りデータ信号を送信する工程Ｃとを有することを特徴とする移動通信方法。
【請求項２】
前記工程Ａにおいて、前記無線基地局は、前記所定範囲として、サブフレームの範囲を通知することを特徴とする請求項１に記載の移動通信方法。
【請求項３】
前記工程Ａにおいて、前記無線基地局は、前記所定範囲として、物理下り制御チャネルのサーチスペースの範囲を通知することを特徴とする請求項１に記載の移動通信方法。
【請求項４】
前記工程Ａにおいて、前記無線基地局は、前記所定範囲として、前記所定識別情報の範囲を通知することを特徴とする請求項１に記載の移動通信方法。
【請求項５】
無線基地局から通知された所定範囲内で、特定の移動局の識別情報ではない所定識別情報を含む上りスケジューリング信号を受信するように構成されている受信部と、
前記無線基地局に対して、前記上りスケジューリング信号によって指定されている共有上りリソースを用いて、上りデータ信号を送信するように構成されている送信部とを具備することを特徴とする移動局。
【請求項６】
前記受信部は、前記所定範囲として通知されたサブフレームの範囲内で、前記所定識別情報を含む上りスケジューリング信号を受信するように構成されていることを特徴とする請求項５に記載の移動局。
【請求項７】
前記受信部は、前記所定範囲として通知された物理下り制御チャネルのサーチスペースの範囲内で、前記所定識別情報を含む上りスケジューリング信号を受信するように構成されていることを特徴とする請求項５に記載の移動局。
【請求項８】
前記受信部は、前記所定範囲として通知された前記所定識別情報の範囲内で、前記所定識別情報を含む上りスケジューリング信号を受信するように構成されていることを特徴とする請求項５に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式の仕様策定会合において、「Ｃｏｎｔｅｎｔｉｏｎ  Ｂａｓｅｄ  Ｇｒａｎｔ」を用いた衝突型上り送信制御方法の採用が提案されている（非特許文献１参照）。以下、「Ｃｏｎｔｅｎｔｉｏｎ  Ｂａｓｅｄ  Ｇｒａｎｔ」を用いた衝突型上り送信制御方法について簡単に説明する。
【０００３】
第１に、移動局ＵＥが、移動局ＵＥのＣ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｔｙ）宛てのＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を介して送信される上りリンクスケジューリンググラント（Ｕｐｌｉｎｋ  Ｓｃｈｅｄｕｌｉｎｇ  Ｇｒａｎｔ）に加えて、ＣＢ-ＲＮＴＩ（Ｃｏｎｔｅｎｔｉｏｎ  Ｂａｓｅｄ-Ｒａｄｉｏ  Ｎｅｔｗｏｒｋ  Ｔｅｍｐｏｒａｒｙ  Ｉｄｅｎｔｉｔｙ）宛てのＰＤＣＣＨを介して送信される上りリンクスケジューリンググラントについても監視し受信する。
【０００４】
第２に、移動局ＵＥは、ＣＢ-ＲＮＴＩ宛てのＰＤＣＣＨを介して送信される上りリンクスケジューリンググラントを受信した場合、かかる上りリンクスケジューリンググラントによって指定されているＴＦ（Ｔｒａｎｓｍｉｓｓｉｏｎ  Ｆｏｒｍａｔ、送信フォーマット）やＭＣＳ（Ｍｏｄｕｌａｔｉｏｎ  ａｎｄ  Ｃｏｄｅ  Ｓｈｅｍｅ、変調方式及び符号化方式の組み合わせ）やリソースブロック（ＲＢ：Ｒｅｓｏｕｒｃｅ  Ｂｌｏｃｋ）等を用いて、ＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）を介して上りデータ信号を送信する。
【０００５】
ここで、移動局ＵＥは、誰が上りデータ信号を送信したか分かるように、上りデータ信号に対して、移動局ＵＥのＣ-ＲＮＴＩを含む「ＭＡＣ  ＣＥ（Ｃｏｎｔｒｏｌ  Ｅｌｅｍｅｎｔ）」を付加しておく。
【０００６】
この結果、「Ｃｏｎｔｅｎｔｉｏｎ  Ｂａｓｅｄ  Ｇｒａｎｔ」を用いた衝突型上り送信制御方法によれば、「移動局ＵＥによるスケジューリング要求（Ｓｃｈｅｄｕｌｉｎｇ  Ｒｅｑｕｅｓｔ）の送信」→「無線基地局ｅＮＢによる上りリンクスケジューリンググラントの送信」→「移動局ＵＥによるバッファステータスレポート（Ｂｕｓｆｆｅｒ  Ｓｔａｔｕｓ  Ｒｅｐｏｒｔ）の送信」→「無線基地局ｅＮＢによる上りリンクスケジューリンググラントの送信」→「移動局ＵＥによる上りデータ信号の送信」というＬ２手順を省くことができ、上りデータ信号の送信遅延を短縮することができると考えられている。
【０００７】
また、「Ｃｏｎｔｅｎｔｉｏｎ  Ｂａｓｅｄ  Ｇｒａｎｔ」を用いた衝突型上り送信制御方法によれば、通常のＣ-ＲＮＴＩ宛てのスケジューリングした後の未使用の上りリソースを効率的に使用することができると考えられている。
【先行技術文献】
【非特許文献】
【０００８】
【非特許文献１】３ＧＰＰ寄書  Ｒ２-０９３８１２
【発明の概要】
【発明が解決しようとする課題】
【０００９】
しかしながら、現在検討されている「Ｃｏｎｔｅｎｔｉｏｎ  Ｂａｓｅｄ  Ｇｒａｎｔ」を用いた衝突型上り送信制御方法では、同一のＣＢ-ＲＮＴＩ宛てのＰＤＣＣＨを介して送信される上りスケジューリンググラントに対して上りデータ信号を送信する移動局ＵＥの数が多くなると、上りデータ信号が衝突する確率が増加する、或いは、上りデータ信号による干渉量が増加するという問題点があった。
【００１０】
そこで、本発明は、上述の課題に鑑みてなされたものであり、上述のような「Ｃｏｎｔｅｎｔｉｏｎ  Ｂａｓｅｄ  Ｇｒａｎｔ」を用いた衝突型上り送信制御方法において、上りデータ信号の衝突確率を減らすことができる移動通信方法及び移動局を提供することを目的とする。
【課題を解決するための手段】
【００１１】
本発明の第１の特徴は、移動通信方法であって、無線基地局が、移動局に対して、所定範囲を通知する工程Ａと、前記移動局が、通知された前記所定範囲内で、特定の移動局の識別情報ではない所定識別情報を含む上りスケジューリング信号を受信する工程Ｂと、前記移動局が、前記無線基地局に対して、前記上りスケジューリング信号によって指定されている共有上りリソースを用いて、上りデータ信号を送信する工程Ｃとを有することを要旨とする。
【００１２】
本発明の第２の特徴は、移動局であって、無線基地局から通知された所定範囲内で、特定の移動局の識別情報ではない所定識別情報を含む上りスケジューリング信号を受信するように構成されている受信部と、前記無線基地局に対して、前記上りスケジューリング信号によって指定されている共有上りリソースを用いて、上りデータ信号を送信するように構成されている送信部とを具備することを要旨とする。
【発明の効果】
【００１３】
以上説明したように、本発明によれば、上述のような「Ｃｏｎｔｅｎｔｉｏｎ  Ｂａｓｅｄ  Ｇｒａｎｔ」を用いた衝突型上り送信制御方法において、上りデータ信号の衝突確率を減らすことができる移動通信方法及び移動局を提供することができる。
【図面の簡単な説明】
【００１４】
【図１】本発明の第１の実施形態に係る移動通信システムの全体構成図である。
【図２】本発明の第１の実施形態に係る移動通信システムにおけるＰＤＣＣＨ及びＰＤＳＣＨに対するリソースの割当方法について説明するための図である。
【図３】本発明の第１の実施形態に係る無線基地局の機能ブロック図である。
【図４】本発明の第１の実施形態に係る移動局の機能ブロック図である。
【図５】本発明の第１の実施形態に係る移動通信システムの動作を示すシーケンス図である。
【発明を実施するための形態】
【００１５】
（本発明の第１の実施形態に係る移動通信システムの構成）
図１乃至図３を参照して、本発明の第１の実施形態に係る移動通信システムの構成について説明する。
【００１６】
本実施形態に係る移動通信システムは、ＬＴＥ-Ａｄｖｅｎｃｅｄ方式の移動通信システムであり、上りリンクの同期状態が保たれている移動局ＵＥに対して、「Ｃｏｎｔｅｎｔｉｏｎ  Ｂａｓｅｄ  Ｇｒａｎｔ」を用いた衝突型上り送信制御方法を適用するように構成されている。
【００１７】
図１に示すように、本実施形態に係る移動通信システムでは、移動局ＵＥは、無線基地局ｅＮＢに対して、ＰＵＳＣＨを介して、上りデータ信号を送信し、ＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して、上り制御信号を送信するように構成されている。
【００１８】
一方、本実施形態に係る移動通信システムでは、無線基地局ｅＮＢは、移動局ＵＥに対して、ＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）を介して、下りデータ信号を送信し、ＰＤＣＣＨを介して、下り制御信号、例えば、上りスケジューリンググラントや下りスケジューリング情報（Ｄｏｗｎｌｉｎｋ  Ｓｃｈｅｄｕｌｉｎｇ  Ｉｎｆｏｒｍａｔｉｏｎ）を送信するように構成されている。
【００１９】
ここで、図２を参照して、本実施形態に係る移動通信システムにおいて、ＰＤＣＣＨ及びＰＤＳＣＨに対してリソースを割り当てる方法について説明する。かかる方法は、具体的には、３ＧＰＰ仕様のＴＳ３６.２１３第８章に規定されている。
【００２０】
１本のＰＤＣＣＨには、１個、２個、４個又は８個のＣＣＥ（Ｃｏｎｔｒｏｌ  Ｃｈａｎｎｅｌ  Ｅｌｅｍｅｎｔ）単位のリソースが割り当てられる。なお、かかるＣＣＥの個数を「Ａｇｇｒｅｇａｔｉｏｎ  Ｌｅｖｅｌ」と呼ぶ。また、ＣＣＥは、連続する９個のリソースエレメント（Ｒｅｓｏｕｒｃｅ  Ｅｌｅｍｅｎｔ）によって構成されている。
【００２１】
移動局ＵＥは、自分宛てのＰＤＣＣＨがどのＣＣＥに割り当てられているか、及び、どのＡｇｇｒｅｇａｔｉｏｎ  Ｌｅｖｅｌが選択されているかを知らないため、自分宛てのＰＤＣＣＨを検出するためには、ＣＣＥの組み合わせについて総当りで自分宛てのＰＤＣＣＨをサーチする必要がある。
【００２２】
しかしながら、かかる総当りでＰＤＣＣＨをサーチすることは現実的でないため、本実施形態に係る移動通信システムでは、各移動局ＵＥがサーチすべきＣＣＥの範囲は制限されている。
【００２３】
具体的には、移動局ＵＥは、「共通サーチスペース（Ｃｏｍｍｏｎ  Ｓｅａｒｃｈ  Ｓｐａｃｅ）」、及び、移動局ＵＥのＣ-ＲＮＴＩに基づいて決定される「ＵＥ専用サーチスペース（ＵＥ  Ｓｐｅｃｉｆｉｃ  Ｓｅａｒｃｈ  Ｓｐａｃｅ）」において、自分宛てのＰＤＣＣＨをサーチするように構成されている。
【００２４】
図２の例では、共通サーチスペースで２本のＰＤＣＣＨが送信されており、ＵＥ専用サーチスペース＃１で２本のＰＤＣＣＨが送信されており、ＵＥ専用サーチスペース＃２で２本のＰＤＣＣＨが送信されている。
【００２５】
実際には、各サーチスペースにて送信されるＰＤＣＣＨの本数は、スケジューリングされる移動局ＵＥの数や、Ａｇｇｒｅｇａｔｉｏｎ  Ｌｅｖｅｌ等によって、動的に変化する。また、共通サーチスペースとＵＥ専用サーチスペースとが重複する場合もある。
【００２６】
図３に示すように、無線基地局ｅＮＢは、ＲＲＣ  Ｒｅｃｏｎｆｉｇｕｒａｔｉｏｎ処理部１１と、ＰＤＣＣＨ送信部１２と、ＰＵＳＣＨ受信部１３とを具備している。
【００２７】
ＲＲＣ  Ｒｅｃｏｎｆｉｇｕｒａｔｉｏｎ処理部１１は、移動局ＵＥに対して「ＲＲＣ  Ｒｅｃｏｎｆｉｇｕｒａｔｉｏｎ」を送信し、移動局ＵＥから「ＲＲＣ  Ｒｅｃｏｎｆｉｇｕｒａｔｉｏｎ  Ｃｏｍｐｌｅｔｅ」を受信することによって、移動局ＵＥとの間のＲＲＣコネクションに係るＲＲＣ  Ｒｅｃｏｎｆｉｇｕｒａｔｉｏｎ処理を行うように構成されている。
【００２８】
ここで、ＲＲＣ  Ｒｅｃｏｎｆｉｇｕｒａｔｉｏｎ処理部１１は、移動局ＵＥに対して、「ＲＲＣ  Ｒｅｃｏｎｆｉｇｕｒａｔｉｏｎ」に含まれる「ＣＢ-Ｃｏｎｆｉｇ」によって、移動局ＵＥがＣＢ-ＲＮＴＩを含むＰＤＣＣＨを受信すべき範囲を示す所定範囲を通知するように構成されていてもよい。
【００２９】
例えば、ＲＲＣ  Ｒｅｃｏｎｆｉｇｕｒａｔｉｏｎ処理部１１は、移動局ＵＥに対して、かかる所定範囲として、サブフレームの範囲を通知するように構成されていてもよい。
【００３０】
かかる場合、ＲＲＣ  Ｒｅｃｏｎｆｉｇｕｒａｔｉｏｎ処理部１１は、移動局ＵＥに対して、ＤＲＸパターンのようなサブフレームのパターン（周期やフレームオフセットやサブフレームオフセットや「ｏｎ  ｄｕｒａｔｉｏｎ」等）を通知してもよい。
【００３１】
また、ＲＲＣ  Ｒｅｃｏｎｆｉｇｕｒａｔｉｏｎ処理部１１は、移動局ＵＥに対して、Ｃ-ＲＮＴＩに基づいて決定されるフレームオフセットやサブフレームオフセットを暗示的に通知するように構成されていてもよい、例えば、「Ｃ-ＲＮＴＩ  ｍｏｄ  群数」によって指定されるフレームオフセットやサブフレームオフセットを通知してもよい。
【００３２】
或いは、ＲＲＣ  Ｒｅｃｏｎｆｉｇｕｒａｔｉｏｎ処理部１１は、移動局ＵＥに対して、「群数」及び「Ｘ」の値を通知し、移動局ＵＥのＲＲＣ  Ｒｅｃｏｎｆｉｇｕｒａｔｉｏｎ処理部２１が、「ＳＦＮ/群数＝Ｃ-ＲＮＴＩ  ｍｏｄ  群数」が成立するフレームから１個のフレームの範囲を、所定範囲と判断してもよいし、「（ＳＦＮ×１０＋サブフレーム番号）/群数＝Ｃ-ＲＮＴＩ  ｍｏｄ  群数」が成立するフレーム及びサブフレームからＸ個のサブフレームの範囲を、所定範囲と判断してもよい。
【００３３】
この結果、同一のサブフレームでＣＢ-ＲＮＴＩを含むＰＤＣＣＨに含まれる上りリンクスケジューリンググラントに反応する移動局ＵＥの数が減り、かかる上りリンクスケジューリンググラントに反応する移動局ＵＥの数がサブフレームによって分散されるため、上りデータ信号の衝突確率を抑えることができる。
【００３４】
また、ＲＲＣ  Ｒｅｃｏｎｆｉｇｕｒａｔｉｏｎ処理部１１は、移動局ＵＥに対して、かかる所定範囲として、ＰＤＣＣＨのサーチスペースの範囲を通知するように構成されていてもよい。
【００３５】
例えば、ＲＲＣ  Ｒｅｃｏｎｆｉｇｕｒａｔｉｏｎ処理部１１は、移動局ＵＥに対して、共通サーチスペースのみや、ＵＥ専用サーチスペース＃１のみや、共通サーチスペース及びＵＥ専用サーチスペース＃１のみ等といったように通知してもよい。
【００３６】
ここで、ＲＲＣ  Ｒｅｃｏｎｆｉｇｕｒａｔｉｏｎ処理部１１は、移動局ＵＥのＣ-ＲＮＴＩ宛てのＰＤＣＣＨのＵＥ専用サーチスペース＃１と、ＣＢ-ＲＮＴＩ宛てのＰＤＣＣＨのＵＥ専用サーチスペース＃１とを、同一として通知してもよいし、異なるものとして通知してもよい。
【００３７】
無線基地局ｅＮＢは、異なるサーチスペースで、同じＣＢ-ＲＮＴＩを使って上りリンクスケジューリンググラントを送信することができる。
【００３８】
移動局ＵＥは、Ｃ-ＲＮＴＩを含むＰＤＣＣＨやＣＢ-ＲＮＴＩを含むＰＤＣＣＨをサーチすべきＣＣＥが限定されるため、処理負荷が軽減される。  
【００３９】
さらに、ＲＲＣ  Ｒｅｃｏｎｆｉｇｕｒａｔｉｏｎ処理部１１は、移動局ＵＥに対して、かかる所定範囲として、ＣＢ-ＲＮＴＩの範囲を通知するように構成されていてもよい。
【００４０】
なお、ＲＲＣ  Ｒｅｃｏｎｆｉｇｕｒａｔｉｏｎ処理部１１は、移動局ＵＥに対して、かかる所定範囲として、サブフレームの範囲、ＰＤＣＣＨのサーチスペースの範囲及びＣＢ-ＲＮＴＩの範囲のうちの少なくとも２つを通知するように構成されていてもよい。
【００４１】
ＰＤＣＣＨ送信部１２は、下り制御信号として、移動局ＵＥのＣ-ＲＮＴＩ宛てのＰＤＣＣＨを介して上りリンクスケジューリンググラントを送信するように構成されている、換言すると、ＰＤＣＣＨを介して移動局ＵＥのＣ-ＲＮＴＩを含み個別上りリソースを指定する上りリンクスケジューリンググラント（上りスケジューリング信号）を送信するように構成されている。
【００４２】
また、ＰＤＣＣＨ送信部１２は、下り制御信号として、ＣＢ-ＲＮＴＩ宛てのＰＤＣＣＨを介して上りリンクスケジューリンググラントを送信するように構成されている、換言すると、ＰＤＣＣＨを介してＣＢ-ＲＮＴＩを含み共有上りリソースを指定する上りリンクスケジューリンググラント（上りスケジューリング信号）を送信するように構成されている。
【００４３】
ここで、移動局ＵＥのＣ-ＲＮＴＩを含む上りリンクスケジューリンググラントは、移動局ＵＥのみが使用可能な上りリソースを指定するため、本明細書では、かかる上りリンクスケジューリンググラントによって指定されている上りリソースを「個別上りリソース」と示す。
【００４４】
一方、ＣＢ-ＲＮＴＩを含む上りリンクスケジューリンググラントは、複数の移動局ＵＥが使用可能な上りリソースを指定するため、本明細書では、かかる上りリンクスケジューリンググラントによって指定されている上りリソースを「共有上りリソース」と示す。
【００４５】
なお、ＣＢ-ＲＮＴＩは、特定の移動局ＵＥのＣ-ＲＮＴＩではない所定識別情報であって、無線基地局ｅＮＢによって報知情報で指定されてもよいし、無線基地局ｅＮＢによって個別シグナリング（例えば、ＲＲＣメッセージである「ＲＲＣ  Ｒｅｃｏｎｆｉｇｕｒａｔｉｏｎ」）で指定されてもよい。
【００４６】
ＰＵＳＣＨ受信部１３は、ＰＵＳＣＨを介して、移動局ＵＥによって個別上りリソース或いは共有上りリソースを用いて送信された上りデータ信号を受信するように構成されている。
【００４７】
図４に示すように、移動局ＵＥは、ＲＲＣ  Ｒｅｃｏｎｆｉｇｕｒａｔｉｏｎ処理部２１と、ＰＤＣＣＨ受信部２２と、ＰＵＳＣＨ送信部２３とを具備している。
【００４８】
ＲＲＣ  Ｒｅｃｏｎｆｉｇｕｒａｔｉｏｎ処理部２１は、無線基地局ｅＮＢとの間のＲＲＣコネクションに係るＲＲＣ  Ｒｅｃｏｎｆｉｇｕｒａｔｉｏｎ処理を行うように構成されている。
【００４９】
例えば、ＲＲＣ  Ｒｅｃｏｎｆｉｇｕｒａｔｉｏｎ処理部２１は、無線基地局ｅＮＢによって送信された「ＲＲＣ  Ｒｅｃｏｎｆｉｇｕｒａｔｉｏｎ」に含まれる「ＣＢ-Ｃｏｎｆｉｇ」を介して、上述の所定範囲等を取得するように構成されていてもよい。
【００５０】
ＰＤＣＣＨ受信部２２は、移動局ＵＥのＣ-ＲＮＴＩ宛てのＰＤＣＣＨを介して送信される上りリンクスケジューリンググラント、換言すると、ＰＤＣＣＨを介して移動局ＵＥのＣ-ＲＮＴＩを含む上りリンクスケジューリンググラントを受信するように構成されている。
【００５１】
また、ＰＤＣＣＨ受信部２２は、ＣＢ-ＲＮＴＩ宛てのＰＤＣＣＨを介して送信される上りリンクスケジューリンググラント、換言すると、ＣＢ-ＲＮＴＩを含む上りリンクスケジューリンググラントを受信するように構成されている。
【００５２】
例えば、ＰＤＣＣＨ受信部２２は、所定範囲として通知されたサブフレームの範囲内で、ＣＢ-ＲＮＴＩを含む上りリンクスケジューリンググラントを受信するように構成されていてもよい。
【００５３】
ＰＤＣＣＨ受信部２２は、所定範囲として通知されたＰＤＣＣＨのサーチスペースの範囲内で、ＣＢ-ＲＮＴＩを含む上りリンクスケジューリンググラントを受信するように構成されていてもよい。
【００５４】
ＰＤＣＣＨ受信部２２は、所定範囲として通知されたＣＢ-ＲＮＴＩの範囲内で、ＣＢ-ＲＮＴＩを含む上りリンクスケジューリンググラントを受信するように構成されていてもよい。
【００５５】
ＰＵＳＣＨ送信部２３は、無線基地局ｅＮＢに対して、移動局ＵＥのＣ-ＲＮＴＩを含む上りリンクスケジューリンググラントによって指定されている個別上りリソースを用いて、ＰＵＳＣＨを介して、上りデータ信号を送信するように構成されている。
【００５６】
また、ＰＵＳＣＨ送信部２４は、無線基地局ｅＮＢに対して、ＣＢ-ＲＮＴＩを含む上りリンクスケジューリンググラントによって指定されている共有上りリソースを用いて、ＰＵＳＣＨを介して、上りデータ信号を送信するように構成されている。
【００５７】
（本発明の第１の実施形態に係る移動通信システムの動作）
図５を参照して、本発明の第１の実施形態に係る移動通信システムの動作について説明する。
【００５８】
図５に示すように、ステップＳ１００１において、無線基地局ｅＮＢは、移動局ＵＥに対して、「ＣＢ-Ｃｏｎｆｉｇ」を含む「ＲＲＣ  Ｒｅｃｏｎｆｉｇｕｒａｔｉｏｎ」を送信する。
【００５９】
ステップＳ１００２において、移動局ＵＥは、受信した「ＲＲＣ  Ｒｅｃｏｎｆｉｇｕｒａｔｉｏｎ」に含まれる「ＣＢ-Ｃｏｎｆｉｇ」によって通知された所定範囲を記憶し、無線基地局ｅＮＢに対して、「ＲＲＣ  Ｒｅｃｏｎｆｉｇｕｒａｔｉｏｎ  Ｃｏｍｐｌｅｔｅ」を送信する。
【００６０】
ステップＳ１０１０において、無線基地局ｅＮＢは、移動局ＵＥに対して、ＰＤＣＣＨを介して、ＣＢ-ＲＮＴＩやＴＦやＭＣＳ等を含む上りリンクスケジューリンググラントを送信する。
【００６１】
移動局ＵＥは、ステップＳ１０１１において、上述の所定範囲内で、ＣＢ-ＲＮＴＩを含む上りリンクスケジューリンググラントを受信すると、ステップＳ１０１２において、ＣＢ-ＲＮＴＩを含む上りリンクスケジューリンググラントによって指定されている共有上りリソースを用いて、ＰＵＳＣＨを介して、上りデータ信号を送信する。
【００６２】
（本発明の第１の実施形態に係る移動通信システムの作用・効果）
本発明の第１の実施形態に係る移動通信システムによれば、各移動局ＵＥに対してＰＤＣＣＨをサーチすべき所定範囲を限定することによって、各サブフレーム内でＣＢ-ＲＮＴＩを含む上りリンクスケジューリンググラントに応答可能な移動局ＵＥを抑えることができ、上りデータ信号の衝突確率を低減することができる。
【００６３】
以上に述べた本実施形態の特徴は、以下のように表現されていてもよい。
【００６４】
本実施形態の第１の特徴は、移動通信方法であって、無線基地局ｅＮＢが、移動局ＵＥに対して、所定範囲を通知する工程Ａと、移動局ＵＥが、通知された所定範囲内で、ＣＢ-ＲＮＴＩ（特定の移動局の識別情報ではない所定識別情報）を含む上りリンクスケジューリンググラント（上りスケジューリング）を受信する工程Ｂと、移動局ＵＥが、無線基地局ｅＮＢに対して、かかる上りリンクスケジューリンググラントによって指定されている共有上りリソースを用いて、上りデータ信号を送信する工程Ｃとを有することを要旨とする。
【００６５】
本実施形態の第１の特徴において、工程Ａにおいて、無線基地局ｅＮＢは、所定範囲として、サブフレームの範囲を通知してもよい。
【００６６】
本実施形態の第１の特徴において、工程Ａにおいて、無線基地局ｅＮＢは、所定範囲として、ＰＤＣＣＨ（物理下り制御チャネル）のサーチスペースの範囲を通知してもよい。
【００６７】
本実施形態の第１の特徴において、工程Ａにおいて、無線基地局ｅＮＢは、所定範囲として、ＣＢ-ＲＮＴＩの範囲を通知してもよい。
【００６８】
本実施形態の第２の特徴は、移動局ＵＥであって、無線基地局ｅＮＢから通知された所定範囲内で、ＣＢ-ＲＮＴＩを含む上りリンクスケジューリンググラントを受信するように構成されているＰＤＣＣＨ受信部２２と、無線基地局ｅＮＢに対して、かかる上りリンクスケジューリンググラントによって指定されている共有上りリソースを用いて、上りデータ信号を送信するように構成されているＰＵＳＣＨ送信部２３とを具備することを要旨とする。
【００６９】
本実施形態の第２の特徴において、ＰＤＣＣＨ受信部２２は、所定範囲として通知されたサブフレームの範囲内で、ＣＢ-ＲＮＴＩを含む上りリンクスケジューリンググラントを受信するように構成されていてもよい。
【００７０】
本実施形態の第２の特徴において、ＰＤＣＣＨ受信部２２は、所定範囲として通知されたＰＤＣＣＨのサーチスペースの範囲内で、ＣＢ-ＲＮＴＩを含む上りリンクスケジューリンググラントを受信するように構成されていてもよい。
【００７１】
本実施形態の第２の特徴において、ＰＤＣＣＨ受信部２２は、所定範囲として通知されたＣＢ-ＲＮＴＩの範囲内で、ＣＢ-ＲＮＴＩを含む上りリンクスケジューリンググラントを受信するように構成されていてもよい。
【００７２】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
ｅＮＢ…無線基地局
１１、２１…ＲＲＣ  Ｒｅｃｏｎｆｉｇｕｒａｔｉｏｎ処理部
１２…ＰＤＣＣＨ送信部
１３…ＰＵＳＣＨ受信部
ＵＥ…移動局
２２…ＰＤＣＣＨ受信部
２３…ＰＵＳＣＨ送信部
【図１】
2011041163.tif 000003
【図２】
2011041163.tif 000004
【図３】
2011041163.tif 000005
【図４】
2011041163.tif 000006
【図５】
2011041163.tif 000007